(57)【要約】【課題】  柔軟性が高く確実に結束できると共に、小型かつ簡易な構成で低コストに作製できる取付具付きタグを提供する。【解決手段】  細長く延在し可撓性を有するバンド部２とバンド部２の一端側に設けられバンド部２の他端側が固定される結束部３とからなる結束バンド４と、バンド部２に沿って密接状態に配された棒状のＲＦＩＤタグ本体５と、ＲＦＩＤタグ本体５をバンド部２と共に密着状態に被覆し収縮状態とされた熱収縮チュ−ブ６とを備え、ＲＦＩＤタグ本体５が、結束部３から離間して配されている。【選択図】  図１
2008033706.tif 000002
【特許請求の範囲】
【請求項１】
細長く延在し可撓性を有するバンド部と前記バンド部の一端側に設けられ前記バンド部の他端側が固定される結束部とからなる結束バンドと、
前記バンド部に沿って密接状態に配された棒状のＲＦＩＤタグ本体と、
前記ＲＦＩＤタグ本体を前記バンド部と共に密着状態に被覆し収縮状態とされた熱収縮チュ−ブとを備え、
前記ＲＦＩＤタグ本体が、前記結束部から離間して配されていることを特徴とする取付具付きタグ。
【請求項２】
請求項１記載の取付具付きタグにおいて、
前記ＲＦＩＤタグ本体と前記結束部とが、少なくとも前記ＲＦＩＤタグ本体の長さ以上離間されていることを特徴とする取付具付きタグ。
【発明の詳細な説明】
【技術分野】
【０００１】
本発明は、実装されたＩＣチップに対して非接触でデータの読み書きが可能なＲＦＩＤ（Radio Frequency Identification）タグにおいて、取付性に優れた取付具付きタグに関する。
【背景技術】
【０００２】
近年、微小な無線チップにより人や物を識別すると共に管理するＲＦＩＤ技術を用いたシステムが注目されている。このＲＦＩＤシステムでは、商品等に貼付したＲＦＩＤタグにデータを記憶させておき、無線によりＲＦＩＤリーダ／ライタ又はリーダで更新することで商品等の識別及び情報を自動的に認識して管理するものである。このＲＦＩＤシステムは、製造、販売、物流又は貸与サービス等において、ＲＦＩＤタグを取り付けた物や人等の所在やＩＤ等の情報を検出してその移動等を管理することに広く採用されつつある。このＲＦＩＤタグは、ラベル型、コイン型、シート型、スティック型等の任意の形状であり、用途に応じて使用されている。
【０００３】
上記ＲＦＩＤタグは、対応する商品に取り付ける必要があり、取付け構造には種々のものが開発されている。従来、例えば、特許文献１には、ケーブル類を束ね、固定する結束バンド（束線バンド）にＲＦＩＤタグに相当するデータキャリアを取付け、大きな容量の情報を記録することを可能とするデータキャリア付き束線バンドが提案されている。このデータキャリア付き束線バンドは、可撓性を有する細長いバンド部の端部に結束部を形成してなる束線バンドに、棒状のデータキャリアを保持する保持体を設けて構成され、束線バンドと保持体とが樹脂の一体成形物であり、保持体内にデータキャリアが挿入されて保持されているものである。
【０００４】
【特許文献１】特開２００４−１１２８８６号公報
【発明の開示】
【発明が解決しようとする課題】
【０００５】
しかしながら、上記従来の技術には、以下の課題が残されていた。
特許文献１に記載されているデータキャリア付き束線バンドでは、結束部若しくはその近傍にタグが固定されているので、結束部近傍において柔軟性が損なわれて、取付時に大きな隙間が生じ易いという不都合があった。すなわち、バンド部の端部を固定する結束部近傍では特に柔軟性が要求されるのに対し、上記従来の技術では、結束部近傍が保持部及びタグによって高剛性となってしまうため、結束部近傍が曲がり難く、大きな隙間が生じ易くなって、確実に締め付けることができない場合がある。
また、バンドと一体成形された円筒状の保持部にＲＦＩＤタグを挿入し、接着剤や樹脂等で固定若しくは封入する形態になっているので、タグと保持部とに寸法誤差があると、振動により保持部内でタグのがたつきが生じる場合があった。また、温度変化のある環境では、タグと保持部との熱膨張差により、やはり保持部内でタグのがたつきが発生してしまう。さらに、ケース状の保持部なので、タグの取付け部分が大きくなり、省スペース化・小型化への対応が困難であった。
【０００６】
本発明は、上記従来技術の問題点を鑑みてなされたものであり、その目的は、柔軟性が高く確実に結束できると共に、小型かつ簡易な構成で低コストに作製できる取付具付きタグを提供することである。
【課題を解決するための手段】
【０００７】
本発明は、前記課題を解決するために以下の構成を採用した。すなわち、本発明の取付具付きタグは、細長く延在し可撓性を有するバンド部と前記バンド部の一端側に設けられ前記バンド部の他端側が固定される結束部とからなる結束バンドと、前記バンド部に沿って密接状態に配された棒状のＲＦＩＤタグ本体と、前記ＲＦＩＤタグ本体を前記バンド部と共に密着状態に被覆し収縮状態とされた熱収縮チュ−ブとを備え、前記ＲＦＩＤタグ本体が、前記結束部から離間して配されていることを特徴とする。
【０００８】
この取付具付きタグでは、結束部から離間してＲＦＩＤタグ本体が配されているので、ＲＦＩＤタグ本体と結束部との間のバンド部において柔軟性を維持することができ、高い柔軟性を持って取り付けを行うことができる。また、柔らかい熱収縮チュ−ブでＲＦＩＤタグ本体を密着状態でバンド部に固定しているので、ＲＦＩＤタグ本体の近傍においても高い柔軟性を維持することができる。
さらに、弾力性のある合成樹脂材料等からなる熱収縮チューブでＲＦＩＤタグ本体を密着固定しているので、高い防水性及び保護性も有している。また、バンド部に沿って配されたタグを、バンド部と共に熱収縮チューブで包んで熱収縮によって密着固定しているので、従来技術のような振動や温度変化によるタグのがたつきが生じないと共に、タグ取付け部分がスリムに構成可能で小型化を図ることができる。
【０００９】
また、本発明の取付具付きタグは、前記ＲＦＩＤタグ本体と前記結束部とが、少なくとも前記ＲＦＩＤタグ本体の長さ以上離間されていることが好ましい。すなわち、この取付具付きタグでは、ＲＦＩＤタグ本体が結束部からタグの長さ以上に離間されているので、タグ本体と結束部との間のバンド部において充分な柔軟性を得ることができ、より確実に対象物へ取り付けることが可能になる。
【発明の効果】
【００１０】
本発明によれば、以下の効果を奏する。
すなわち、本発明に係る取付具付きタグによれば、ＲＦＩＤタグ本体と結束部との間やＲＦＩＤタグ本体の近傍において高い柔軟性を確保することにより、接続コードや電線等の被結束物に取り付ける際に、柔軟に折り曲げ可能とし、確実な結束性・取り付け性を得ることができる。また、熱収縮チューブによってＲＦＩＤタグ本体を固定することにより、がたつきが生じず、小型かつ簡易な構成で、低コストに作製することができる。
【発明を実施するための最良の形態】
【００１１】
以下、本発明に係る取付具付きタグの一実施形態を、図１から図４を参照しながら説明する。
【００１２】
本実施形態の取付具付きタグ１は、図１から図３に示すように、例えば複数の電線等に取り付けられるものであって、細長く延在し可撓性を有するバンド部２と該バンド部２の一端側に設けられバンド部２の他端側が固定される結束部３とからなる結束バンド４と、バンド部２に沿って密接状態に配された棒状のＲＦＩＤタグ本体５と、ＲＦＩＤタグ本体５をバンド部２と共に密着状態に被覆し収縮状態とされた熱収縮チュ−ブ６とを備えている。
【００１３】
上記ＲＦＩＤタグ本体５には、リーダ／ライタとの間で電磁誘導又は電磁結合を利用して非接触でデータの交信を行うアンテナ（図示略）及びＩＣチップ（図示略）がガラス材で封止されて内蔵されている。また、ＲＦＩＤタグ本体５の外径は、バンド部２の幅とほぼ同じ寸法に設定されている。さらに、熱収縮チュ−ブ６で固定されたＲＦＩＤタグ本体５と結束部３とは、少なくともＲＦＩＤタグ本体５の長さ以上に互いに離間されている。
なお、ＲＦＩＤタグ本体５の通信距離は、数ｍｍ程度のものから数ｍのものがあるが、本実施形態では、２０〜２５ｃｍの通信距離のものを使用している。
【００１４】
上記バンド部２は、用途に応じた所定の長さと幅を備えた弾性を有する帯状の合成樹脂材料（ポリエチレン、ポリスチレン、ポリアミド等）で形成されている。このバンド部２は、他端側に若干屈曲した状態で設けられ先細形状とされた先端部２ａと、該先端部２ａとＲＦＩＤタグ本体５との間に設けられ結束部３内に挿通した際に係止されて固定可能な引っ掛け部２ｂとを有している。
【００１５】
上記結束部３は、バンド部２の表面側に突出するように形成された略方形状とされ、バンド部２を裏面（背面）側から挿通して係止させる係止孔３ａが形成されている。この係止孔３ａ内には、係止用爪部３ｂが形成されている。
引っ掛け部２ｂには、裏面（背面）において幅方向に線状に延在し長手方向に並べられた複数の係止突起２ｃが形成されている。これら係止突起２ｃは、引っ掛け部２ｂが係止孔３ａに挿通された際に係止用爪部３ｂで係止させて、挿通方向と逆方向への移動ができないようにバンド部２を結束部３に固定するものである。
【００１６】
上記熱収縮チュ−ブ６は、シリコーンゴム、ポリオレフィン、ポリフッカビニリデン、エチレンプロピレンゴム、フッ素樹脂等を材料としたものが用いられ、熱収縮前の内径がバンド部２とＲＦＩＤタグ本体５とが挿通可能な寸法とされている。また、熱収縮チュ−ブ６の長さは、ＲＦＩＤタグ本体５の長さに対応して、収縮時にＲＦＩＤタグ本体５全体を密着状態に覆うことができると共に充分な防水効果が得られるだけＲＦＩＤタグ本体５の両端から延びた長さに設定される。
【００１７】
また、熱収縮チュ−ブ６の収縮率も、充分な密着性及び防水性が得られるように設定されている。
なお、熱収縮チュ−ブ６は、結束バンド４と異なる色であっても構わないが、同色とすることで、目立たなくすることが可能である。また、熱収縮チュ−ブ６の色を、用途やＲＦＩＤタグ本体５が記憶する情報に応じた色に設定しても構わない。
【００１８】
本実施形態の取付具付きタグ１の使用方法としては、例えば、図４に示すように、取付具付きタグ１のバンド部２を曲げて複数の電線Ｌに巻付けると共に、先端部２ａを結束部３の係止孔３ａに挿通する。さらに、複数の電線Ｌを充分に結束する位置まで引っ掛け部２ｂを係止孔３ａに挿通させ、係止突起２ｃを係止させることで電線Ｌを結束することができる。
【００１９】
このように、本実施形態の取付具付きタグ１によれば、結束部３から離間してＲＦＩＤタグ本体５が配されているので、ＲＦＩＤタグ本体５と結束部３との間のバンド部２において柔軟性を維持することができ、高い柔軟性を持って取り付けを行うことができる。また、柔らかい熱収縮チュ−ブ６でＲＦＩＤタグ本体５を密着状態でバンド部２に固定しているので、ＲＦＩＤタグ本体５の近傍においても高い柔軟性を維持することができる。
【００２０】
このように、結束部３から離間したＲＦＩＤタグ本体５の配置と熱収縮チュ−ブ６によるＲＦＩＤタグ本体５の固定との相互の効果で、結束部３近傍において高い柔軟性を確保することができる。
特に、ＲＦＩＤタグ本体５が結束部３からＲＦＩＤタグ本体５の長さ以上に離間されているので、ＲＦＩＤタグ本体５と結束部３との間のバンド部２において充分な柔軟性を得ることができ、より確実に対象物へ取り付けることが可能になる。
【００２１】
さらに、弾力性のある合成樹脂材料等からなる熱収縮チュ−ブ６でＲＦＩＤタグ本体５を密着固定しているので、高い防水性及び保護性も有している。また、バンド部２に沿って配されたＲＦＩＤタグ本体５を、バンド部２と共に熱収縮チュ−ブ６で包んで熱収縮によって密着固定しているので、従来技術のような振動や温度変化によるＲＦＩＤタグ本体５のがたつきが生じないと共に、タグ取付け部分がスリムに構成可能で小型化を図ることができる。
【００２２】
なお、本発明は上記実施形態に限定されるものでなく、本発明の趣旨を逸脱しない範囲において種々の変更を加えることができる。
【００２３】
例えば、上記実施形態では、結束バンド４の表面側にＲＦＩＤタグ本体５を取り付けているが、結束バンド４の裏面（背面）側にＲＦＩＤタグ本体５を設けてもよい。これにより、バンド部２を曲げて電線Ｌに巻付けて結束する際に、ＲＦＩＤタグ本体５がバンド部２の内側に配されて目立たなくすることが可能である。
【００２４】
また、上記実施形態では、結束バンド４を合成樹脂材料で形成しているが、可撓性を有する他の材質により形成してもよい。
さらに、熱収縮チュ−ブ６には、その外周面に内部のＲＦＩＤタグ本体５に関する情報（データ）の一部を示す文字や記号が表示されていても構わない。
【図面の簡単な説明】
【００２５】
【図１】本発明に係る一実施形態の取付具付きタグを示す斜視図である。
【図２】本実施形態に係る取付具付きタグを示す背面図である。
【図３】本実施形態に係る取付具付きタグを示す要部を拡大した縦断面図である。
【図４】本実施形態に係る取付具付きタグの使用状態を示す側面図である。
【符号の説明】
【００２６】
１…取付具付きタグ、２…バンド部、２ｂ…引っ掛け部、２ｃ…係止突起、３…結束部、３ａ…係止孔、４…結束バンド、５…ＲＦＩＤタグ本体、６…熱収縮チュ−ブ、Ｌ…電線
【図１】
2008033706.tif 000003
【図２】
2008033706.tif 000004
【図３】
2008033706.tif 000005
【図４】
2008033706.tif 000006